(57)【要約】      （修正有）【課題】貯留槽内への土砂の流入を防ぐことができる雨水一時貯留槽を提供する。【解決手段】雨水一時貯留槽１は、雨水を供給する雨水供給管と、雨水中の土砂を沈殿させる長方形の沈殿槽と、沈殿槽に設けられ、前記雨水を堰き止める第１の堰４１と、この第１の堰４１を乗り越えて流入する雨水を受け止め貯留する第１の受止槽５と、この第１の受止槽５に設けられ、前記雨水を受け止めると共に、第１の堰４１の高さより低い第２の堰５２と、この第２の堰５２を乗り越えて流入する雨水を受け止め貯留する第２の受止槽６と、この第２の受止槽６に接続されると共に、第２の受止槽６で受け止められた前記雨水を排出する雨水排出管７と、第１の受止槽５で受け止め貯留された雨水を受け入れ、第１の受止槽５及び第２の受止槽６の貯留体積より大きい貯留体積を有する貯留槽２とを備えているものである。【選択図】図３
2008248571.tif 000002
【特許請求の範囲】
【請求項１】
雨水を供給する雨水供給管と、
この雨水供給管に接続されると共に、前記雨水中の土砂を沈殿させる沈殿槽と、
この沈殿槽は、平面視、雨水の流れ方向に長い略長方形であり、
前記沈殿槽に設けられ、前記雨水を堰き止める第１の堰と、
この第１の堰を乗り越えて流入する雨水を受け止め貯留する第１の受止槽と、
この第１の受止槽に設けられ、前記雨水を受け止めると共に、前記第１の堰の高さより低い第２の堰と、
この第２の堰を乗り越えて流入する雨水を受け止め貯留する第２の受止槽と、
この第２の受止槽に接続されると共に、前記第２の受止槽で受け止められた前記雨水を排出する雨水排出管と、
前記第１の受止槽で受け止め貯留された雨水を受け入れ、前記第１の受止槽及び前記第２の受止槽の貯留体積より大きい貯留体積を有する貯留槽とを備えている
ことを特徴とする雨水一時貯留槽。
【請求項２】
沈殿槽の第１の堰より前記沈殿槽の雨水供給管の接続部位に近い側の前記沈殿槽の底は、前記沈殿槽の雨水供給管の接続部位より前記沈殿槽の第１の堰に近い側の前記沈殿槽の底より深く形成されている
ことを特徴とする請求項１記載の雨水一時貯留槽。
【請求項３】
第１の堰を乗り越えてくる雨水に含まれる軽量の塵等を阻止し、前記雨水の流れを許容するスクリーンを沈殿槽の上方に取り付けている
ことを特徴とする請求項１記載の雨水一時貯留槽。
【請求項４】
貯留槽は、地下に埋設されると共に、第１の受止槽よりの雨水を貯留可能に形成されたもので、前記雨水は滞水材の間隙部に貯留されるものであり、
前記貯留槽の底部より下方に突出し、前記貯留槽内の土砂等を集積させて該土砂等を管理する管理空間を形成する
ことを特徴とする請求項１記載の雨水一時貯留槽。
【発明の詳細な説明】
【技術分野】
【０００１】
本発明は、雨水一時貯留槽に係り、特に、貯留槽内への土砂の流入を防ぐことができる雨水一時貯留槽に関する。
【０００２】
従来、例えば、大量の雨水を一時的に貯留し、河川への急激な雨水流出を抑制する雨水一時貯留槽がある（例えば、特許文献１  図１乃至図３参照）。
【特許文献１】特開２００５−１７９９３１号公報
【発明の開示】
【発明が解決しようとする課題】
【０００３】
この雨水一時貯留槽にあっては、流入管（５３）の一端が第１貯留槽（２）に連通し  、該第１貯留槽（２）の下流側に排水槽部（１０）が、第１貯留槽（２）と排水槽部（１０）との間に隔壁（９）が、該隔壁（９）の下方に流出調整孔（１２）、該隔壁（９）の上方に余水吐き（１３）が、それぞれ設けられている。
そのため、雨水に含まれる土砂等は、そのほとんどが第１貯留槽（２）の泥溜め部（８０）に逐次蓄積され、特に、土砂等が流出調整孔（１２）を塞いだり、逆止弁（７）の開放を阻害したりするため、作業者が第１貯留槽（２）内に入って蓄積した土砂等を除去する作業をしなければならないというという問題点があった。
【０００４】
本発明は、上記の問題点を除去するようにした雨水一時貯留槽を提供することを目的とする。
【課題を解決するための手段】
【０００５】
本発明の雨水一時貯留槽は、雨水を供給する雨水供給管と、この雨水供給管に接続されると共に、前記雨水中の土砂を沈殿させる沈殿槽と、この沈殿槽は、平面視、雨水の流れ方向に長い略長方形であり、前記沈殿槽に設けられ、前記雨水を堰き止める第１の堰と  、この第１の堰を乗り越えて流入する雨水を受け止め貯留する第１の受止槽と、この第１の受止槽に設けられ、前記雨水を受け止めると共に、前記第１の堰の高さより低い第２の堰と、この第２の堰を乗り越えて流入する雨水を受け止め貯留する第２の受止槽と、この第２の受止槽に接続されると共に、前記第２の受止槽で受け止められた前記雨水を排出する雨水排出管と、前記第１の受止槽で受け止め貯留された雨水を受け入れ、前記第１の受止槽及び前記第２の受止槽の貯留体積より大きい貯留体積を有する貯留槽とを備えているものである。
【０００６】
また、請求項２記載の雨水一時貯留槽は、請求項１記載の雨水一時貯留槽において、沈殿槽の第１の堰より前記沈殿槽の雨水供給管の接続部位に近い側の前記沈殿槽の底は、前記沈殿槽の雨水供給管の接続部位より前記沈殿槽の第１の堰に近い側の前記沈殿槽の底より深く形成されているものである。
【０００７】
また、請求項３記載の雨水一時貯留槽は、請求項１記載の雨水一時貯留槽において、第１の堰を乗り越えてくる雨水に含まれる軽量の塵等を阻止し、前記雨水の流れを許容するスクリーンを沈殿槽の上方に取り付けているものである。
【０００８】
また、請求項４記載の雨水一時貯留槽は、請求項１記載の雨水一時貯留槽において、  貯留槽は、地下に埋設されると共に、第１の受止槽よりの雨水を貯留可能に形成されたもので、前記雨水は滞水材の間隙部に貯留されるものであり、前記貯留槽の底部より下方に突出し、前記貯留槽内の土砂等を集積させて該土砂等を管理する管理空間を形成するものである。
【発明の効果】
【０００９】
請求項１記載の雨水一時貯留槽によれば、沈殿槽は、平面視、雨水の流れ方向に長い略長方形で、雨水が第１の堰に向かうに従って、雨水に含まれる土砂は沈殿槽の底部へ沈殿し、しかも、貯留槽には第１の堰を乗り越えて流入する雨水を受け入れるため、貯留槽内への土砂の流入を防ぐことができ、土砂の流入に伴う貯留体積の減少を防止できると共に、貯留槽内への土砂の排除作業をも少なくて済む等の効果を有する。
【００１０】
また、請求項２記載の雨水一時貯留槽によれば、前述した請求項１記載の発明の効果に加え、沈殿槽の第１の堰より前記沈殿槽の雨水供給管の接続部位に近い側の前記沈殿槽の底は、前記沈殿槽の雨水供給管の接続部位より前記沈殿槽の第１の堰に近い側の前記沈殿槽の底より深く形成されているため、効率良く土砂を貯留させると共に、土砂の排除作業を効率よく行うことができる。
【００１１】
また、請求項３記載の雨水一時貯留槽によれば、前述した請求項１記載の発明の効果に加え、第１の堰を乗り越えてくる雨水に含まれる軽量の塵等を阻止し、前記雨水の流れを許容するスクリーンを沈殿槽の上方に取り付けているため、雨水供給管を介して流入された雨水に含まれる軽量の塵等を沈殿槽内に閉じこめ、軽量の塵等除去の清掃作業を効率良く行うと共に、雨水に含まれる軽量の塵等が第１の受止貯留槽及び第２の受止貯留槽へ流入するのを阻止することができる。
【００１２】
また、請求項４記載の雨水一時貯留槽によれば、前述した請求項１記載の発明の効果に加え、貯留槽は、地下に埋設されると共に、第１の受止槽よりの雨水を貯留可能に形成されたもので、前記雨水は滞水材の間隙部に貯留されるものであり、前記貯留槽の底部より下方に突出し、前記貯留槽内の土砂等を集積させて該土砂等を管理する管理空間を形成するものであるから、前記管理空間に、例えば、マイクロスコープを挿入して土砂等の排除の有無等の確認を行うことができる。
【発明を実施するための最良の形態】
【００１３】
本発明の雨水一時貯留槽の一実施例を図面を参照して説明する。
図１乃至図５において、１は大量の雨水を一時的に貯留し、河川への急激な雨水流出を抑制する雨水一時貯留槽で、雨水一時貯留槽１は、大量の雨水を一時的に貯留する貯留槽２と、この貯留槽２の供給側に設けられた雨水供給管３、沈殿槽４、第１の受止槽５、貯留槽２の排出側に設けられた第２の受止槽６、雨水排出管７とで、概略的に構成されている。
【００１４】
貯留槽２は、地下に埋設されると共に、第１の受止槽５よりの雨水を貯留可能に形成されたもので、前記雨水は後述する滞水材２１の間隙部２２に貯留されるものであり、例えば、プラスチックで形成された滞水材２１の間隙部２２[滞水材の間隙部は、例えば、特許第２９０１９５９号に開示された骨格部材（５０）を積層して形成される間隙部であり、特開２００５−１７９９３１に開示された空間形成ブロック（４）積み重ねて形成される間隙部である。］に雨水を貯留し、積層された滞水材２１の周囲を防水材２３で覆ったものである。
【００１５】
なお、貯留槽２は、これに限らず、大量の雨水を一時的に貯留するものであれば良く  、図示しないが、内部を空洞にすると共に、周囲をコンクリートで形成したものでも良い。
また、２４は貯留槽２の底部より下方に突出し、貯留槽２内の土砂等を集積させて該土砂等を管理（例えば、図示しないマイクロスコープを挿入して土砂等の排除の有無、図示しないバキュームホースを挿入して土砂等の排除等）する管理空間Ｓ（図５参照）を形成する部材で、具体的には、貯留槽２の下部に位置した凹状の溝（Ｕ字側溝）である。
この凹状の溝２４は、貯留槽２内に貯留された雨水に含まれる土砂等を重力により集積する役目を有する。凹状の溝２４に集積された土砂等は、凹状の溝２４に連通する垂直孔の上方開口部を開閉する点検用蓋２５を開き、図示しないバキュームホースを前記垂直孔を介して凹状の溝２４内に入れて図示しないバキュームホースにより排出するようにしている。管理空間Ｓ（図５参照）と前記垂直孔は連通している。
場合により、前記垂直孔、凹状の溝２４を人が出入り大きさとしても良く、また、前記垂直孔と凹状の溝２４とは連通している。
なお、貯留槽２の貯留体積は、第１の受止槽５及び第２の受止槽６の貯留体積より大きいものである。
【００１６】
上述した雨水供給管３は沈殿槽４に接続され、雨水を沈殿槽４に供給している。この沈殿槽４は、雨水中の土砂を沈殿させるもので、平面視、雨水の流れ方向に長い略長方形（幅１に対し、長手方向の長さが幅の２倍以上と細長い略長方形をなしている。）であり、望ましくは、沈殿槽４の平均流速は０．３ｍ／秒、滞留時間は４５秒、長手方向の長さは  、１３．５ｍ以上となる。沈殿槽４には、雨水を堰き止める高さＨ1の第１の堰４１が設けられ、堰の高さＨ1は、粒子０．４ｍｍでは、１．８９ｍ以上、粒子０．２ｍｍでは、０．９４５ｍ以上となる。
【００１７】
また、図４に示すように、沈殿槽４の第１の堰４１より沈殿槽４の雨水供給管３の接続部位に近い側の沈殿槽４の底部４２は、沈殿槽４の雨水供給管３の接続部位より沈殿槽４の第１の堰４１に近い側の沈殿槽４の底部４２より深く形成されている（ｈ1＞ｈ2 図４参照）．
これは、雨水供給管３より供給開始初めの雨水に多くの土砂が含まれていることから  、沈殿槽４の雨水供給管３の接続部位に近い側の沈殿槽４の底４２により多くの土砂を集め、効率良く土砂を貯留させると共に、土砂の排除作業を効率よく行うことができるようにするためである。
沈殿槽４内の土砂の排除作業は、沈殿槽４に連通する垂直孔４３の上方開口部を開閉する点検用蓋４４を開き、図示しないバキュームホースを垂直孔４３を介して沈殿槽４内に入れて図示しないバキュームホースにより排出するようにしている。また、図３に示す４７は、後述するスクリーン４５等を点検する蓋である。
【００１８】
また、図４に示す４５はスクリーンで、スクリーン４５は、第１の堰４１を乗り越えてくる雨水に含まれる軽量の塵等を阻止し、前記雨水の流れを許容するもので、スクリーン４５は、沈殿槽４の上方に、例えば、着脱自在に取り付けられている。
このスクリーン４５により、雨水供給管３を介して流入された雨水に含まれる軽量の塵等を沈殿槽４内に閉じこめ、軽量の塵等の除去清掃作業を効率良く行うと共に、雨水に含まれる軽量の塵等が第１の受止槽５及び第２の受止槽６へ流入するのを阻止するようにしている。
【００１９】
また、図４に示す４６は、沈殿槽４の底部４２より離間すると共に、下部４６ａが第１の堰４１より低く、上部４６ｂが第１の堰４１より高い位置にあって、前記雨水の流れ方向を横断する幅方向の全体に亘って沈殿槽４内に取り付けられた壁（オイルトラップ）で、この壁（オイルトラップ）４６により、雨水より軽いガソリン等が沈殿槽４内に流入しても、雨水より軽いガソリン等を沈殿槽４内に止めることができる。
その結果、貯留槽２の一部を形成するプラスチックで形成された滞水材２１を溶かしたり、雨水排出管７よりガソリン等が流出するのを防ぐことができる。
【００２０】
上述した第１の受止槽５は、第１の堰４１を乗り越えて流入する雨水を受け止め貯留し、供給口５１を介して貯留槽２へ大量の雨水を供給する。供給口５１は、貯留槽２の底部から頂部に亘って大きく開口している（図２及び図４参照）。
また、第１の受止槽５には、雨水を受け止めると共に、第１の堰４１の高さＨ1より低い高さＨ2の第２の堰５２が設けられている。
また、第２の堰５２を構成する壁には開口部５２ａが設けられ、この開口部５２ａの断面積は、雨水排出管７の断面積より小となっている（図３参照）。
【００２１】
上述した第２の受止槽６は、第２の堰５２を乗り越えて流入する雨水を受け止め貯留する。この第２の受止槽６には雨水排出管７が接続され、第２の受止槽６で受け止められた雨水を雨水排出管７により排出するようになっている。また、図３に示す６１は、第２の受止槽６内を点検する蓋である。
なお、上述した沈殿槽４、第１の受止槽５、第２の受止槽６は、例えば、コンクリートで一体成形して構成するようにしても良い。
【００２２】
従って、上述した雨水一時貯留槽１によれば、雨水は、雨水供給管３を介して沈殿槽４内に供給される。沈殿槽４は、平面視、雨水の流れ方向に長い略長方形で、雨水が第１の堰４１に向かうに従って、雨水に含まれる土砂は沈殿槽４の底部４２へ沈殿し、しかも、貯留槽４には第１の堰４１を乗り越えて流入する雨水を受け入れるため、貯留槽４内への土砂の流入を防ぐことができ、土砂の流入に伴う貯留体積の減少を防止できると共に、貯留槽４内への土砂の排除作業をも少なくて済む。
大量の雨水は、供給口５１を介して貯留槽２へ一時的に貯留され、沈殿槽４内へ供給される雨水の供給量が低下し、第１の受止槽５の雨水が多い場合、第２の堰５２を乗り越えると共に、開口部５２ａを介して第２の受止槽６、雨水排出管７により排出される。
【図面の簡単な説明】
【００２３】
【図１】図１は、本発明の一実施例の雨水一時貯留槽の概略的平面図である。
【図２】図２は、図１の２−２線による概略的断面図である。
【図３】図３は、図２の一部を拡大して示す概略的一部拡大断面図である。
【図４】図４は、図１の４−４線による概略的断面図である。
【図５】図５は、図３の５−５線による概略的断面図である。
【符号の説明】
【００２４】
１        雨水一時貯留槽
２        貯留槽
３        雨水供給管
４        沈殿槽
５        第１の受止槽
６        第２の受止槽
７        雨水排出管
４１      第１の堰
５２      第２の堰
【図１】
2008248571.tif 000003
【図２】
2008248571.tif 000004
【図３】
2008248571.tif 000005
【図４】
2008248571.tif 000006
【図５】
2008248571.tif 000007